(57)【特許請求の範囲】
【請求項１】
遊技盤(5) に装着され且つ中央の特定の入球口(23)と該特定の入球口(23)の左右両側に配置された左右一対の入球口(23)とを備えた取付板(24)と、前記３個の入球口(23)よりも外側で前後方向の回転軸(25)回りに揺動して開閉する左右一対の揺動片(26)と、該両揺動片(26)の間で前記３個の入球口(23)の前側に設けられ且つ前記揺動片(26)からの遊技球を前記入球口(23)側に案内する球受部(27)とを備えた弾球遊技機の入賞装置において、前記球受部(27)は、左右の前記各入球口(23)の前側に配置され且つ前記特定の入球口(23)の前側の開口部(49)の左右両側に設けられた左右一対の上壁(47)と、該一対の上壁(47)間で前記開口部(49)を閉塞し且つ前記球受部(27)での遊技球の移動方向に変化を与えるステージ部材(54)とを備え、前記開口部(49)は後側が広がるテーパー状であり、該開口部(49)に嵌合する前記ステージ部材(54)の左右両端が前記両上壁(47)の内端側に後方から着脱自在に挿入されていることを特徴とする弾球遊技機の入賞装置。
【発明の詳細な説明】
【０００１】
【産業上の利用分野】
本発明は、パチンコ機、アレンジボール機等の弾球遊技機の入賞装置に関するものである。
【０００２】
【従来の技術】
パチンコ機等の弾球遊技機において、遊技盤に装着される入賞装置として、特公平４−６７９９３号公報に記載の如く、左右方向に複数の入球口を備えた取付板と、複数の入球口の両側で前後方向の回転軸回りに揺動して開閉する左右一対の揺動片とを備え、この一対の揺動片が開状態のときに、上方から落下する遊技球を受け止めて各入球口側に案内するようにしたものがある。
【０００３】
そして、一対の揺動片の間が遊技球を下方に落下させる開口部分となっており、各揺動片が揺動して開状態となると、各揺動片の下端側が開口部分に両側から突出して該開口部分を閉塞し、各揺動片により案内された遊技球を各入球口側に案内するようになっている。
【０００４】
【発明が解決しようとする課題】
従来の入賞装置では、各揺動片が開状態のときにその下端側で開口部分を閉塞し、遊技球を各入球口のいずれかに案内するようにしていたので、揺動片に受け止められた遊技球が入球口へ入球する前に、各揺動片が起立した閉状態となると、その遊技球が入球口へ入球することなく開口部分から下方へ落下し、遊技者が不利益を受ける場合があった。
【０００５】
また各入球口へ入球する入球確率は、揺動片に一体的に形成された下端側の形状や入球口の大きさ等の変更し難い部分により定まるので、入賞装置側で入球確率の調整を容易に行うことができず、遊技盤の盤面上におけるゲージ構成の設計の自由度が著しく制限されていた。
【０００６】
本発明は、かかる従来の課題に鑑み、揺動片の開閉状態に拘らず遊技球を入球口側に確実に案内できる弾球遊技機の入賞装置を提供するものである。
【０００７】
【課題を解決するための手段】
本発明は、遊技盤5 に装着され且つ中央の特定の入球口23と該特定の入球口23の左右両側に配置された左右一対の入球口23とを備えた取付板24と、前記３個の入球口23よりも外側で前後方向の回転軸25回りに揺動して開閉する左右一対の揺動片26と、該両揺動片26の間で前記３個の入球口23の前側に設けられ且つ前記揺動片26からの遊技球を前記入球口23側に案内する球受部27とを備えた弾球遊技機の入賞装置において、前記球受部27は、左右の前記各入球口23の前側に配置され且つ前記特定の入球口23の前側の開口部49の左右両側に設けられた左右一対の上壁47と、該一対の上壁47間で前記開口部49を閉塞し且つ前記球受部27での遊技球の移動方向に変化を与えるステージ部材54とを備え、前記開口部49は後側が広がるテーパー状であり、該開口部49  に嵌合する前記ステージ部材54の左右両端が前記両上壁47の内端側に後方から着脱自在に挿入されている。
【０００８】
【実施例】
以下、本発明の実施例を図面に基づいて詳述する。図１はパチンコ機の正面図である。図１において、1 は機枠、2 は機枠1 の前面に開閉自在に枢着された前面枠である。前面枠2 にはガラス扉枠3 及び前面板4 が装着され、その後側に遊技盤5 が着脱自在に装着されている。
【０００９】
遊技盤5 の前面には、発射された遊技球を案内するガイドレール6 が設けられると共に、このガイドレール6 により囲まれた範囲内に障害釘の他、入賞口7 〜10、変動図柄表示装置11、下部入賞装置12、左入賞装置13、右入賞装置14及びアウト口15等が夫々配置されている。
【００１０】
変動図柄表示装置11は例えば３個の図柄表示部を有し、その各図柄表示部は１０種類の異なる図柄、例えば０〜９までの数字図柄をセグメント表示するようになっている。右入賞装置14は変動図柄表示装置11の各図柄表示部の変動後における停止図柄が、予め設定された当り図柄を表示するときに、所要時間だけ開閉ゲート16が開くようになっている。
【００１１】
前面板4 には上皿17が装着され、この上皿17の前縁部に球払いレバー18が設けられている。前面枠2 の下部には下皿19と発射装置20の操作ハンドル21とが設けられ、操作ハンドル21を操作したときに、上皿17から遊技球が一個ずつ発射部に供給され、その遊技球を発射モータの作動によりガイドレール6 に沿って発射するようになっている。
【００１２】
下部入賞装置12は、入賞口8 に遊技球が入球したときに、左右一対の揺動片22が開き、内部の特定の入球口に遊技球が入球すると、変動図柄表示装置11を作動させるようになっている。下部入賞装置12は、図２乃至図６に示すように、遊技盤5 に装着され且つ中央部に左右方向に３個の入球口23が設けられた取付板24と、入球口23の両側で前後方向の回転軸25回りに揺動する左右一対の揺動片26と、各揺動片26により案内された遊技球を各入球口23のいずれかに案内するための球受部27と、各揺動片26を揺動させるための駆動手段であるソレノイド28とを備えている。
【００１３】
取付板24の裏側には、図３、図５に示すように、その内部が各入球口23に対応して３つの案内通路29に区画された球落下ケース30が一体的に形成されている。この球落下ケース30の後端には裏板31がネジ32で固定され、球落下ケース30の後端下部に各案内通路29の落下口33が遊技盤5 の裏側で開口するように設けられている。なお、各落下口33の下方には、図示はしないが遊技球を検出する球検出スイッチが設けられている。
【００１４】
各回転軸25は取付板24に一体的に形成された左右一対の筒部34の前後両端に、ブッシュ35を夫々介してその軸心回りに枢支され、この各回転軸25の前端に各揺動片26が、また、後端に各揺動アーム36が夫々固定されている。ソレノイド28は裏板31の後側に上下方向に沿って配置されるように、取付板24の裏側で球落下ケース30の上端に沿って突設されたボス37の先端にネジで固定されている。尚、ソレノイド28の上部は支持ポール38によって支持されている。
【００１５】
ソレノイド28の下方に突出する可動鉄心39には、この可動鉄心39を下方に付勢するコイルバネ40が装着されると共に、下端に昇降板41が着脱自在に連結されている。昇降板41の両端部には長孔42が横方向に形成され、この長孔42に各揺動アーム36のピン43が摺動自在に挿入されている。取付板24の上部には、球受部27に上方から直接遊技球が落下しないように円弧状の庇部44が、また、下部には球受ケース45が夫々固定されている。
【００１６】
球受ケース45は図７にも示すように、フロント板46と、このフロント板46の上部で後方に突出する左右一対の上壁47と、フロント板46の両側及び下部に亘って後方に突出する周壁48とから形成されている。そして、一対の上壁47の間には開口部49が、また、各上壁47の外側端部と周壁48の両上端部とにはストッパー50、51が夫々設けられ、各ストッパー50、51の間で各揺動片26の下端に突設された突起52が揺動できるようになっている。
【００１７】
開口部49は後側が大きくなるように形成されたテーパー状で、この開口部49の両側下部には内側に突出するＬ字状の部材により前後方向の挿入溝53が夫々形成されている。開口部49には、この開口部49を閉塞して一対の上壁47とにより球受部27を構成するステージ部材54が装着されている。
【００１８】
ステージ部材54は図８に示すように開口部49に嵌合する台形状で、その上面は後側が低くなるように傾斜しており、一段高く形成された中央部には前後方向に平行に突出した突起55により案内溝56が形成されている。ステージ部材54の両側には、開口部49の各挿入溝53に係合する一対の装着片57が左右に突出して設けられ、開口部49にステージ部材54を着脱自在に装着できるようになっている。
【００１９】
フロント板46の中央には表示窓58が形成され、内部に固定された基板59のセグメント表示素子60a の数字がカバー60を介して目視できるようになっている。即ち、フロント板46の前面側の中央には表示窓58が形成され、この表示窓58に対応するセグメント表示素子60a がフロント板46の内部に配置されている。セグメント表示素子60a はフロント板46の内部に固定された基板59に装着され、そのセグメント表示素子60a の数字がカバー60を介して目視できるようになっている。またフロント板46の内側には２本のボス61が突設され、このボス61の後端が取付板24にネジ止めされている。なお、表示窓58、セグメント表示素子60a 、カバー60等により、前面側に配置された表示手段が構成されている。
【００２０】
次に、上記構成のパチンコ機における動作を説明する。下部入賞装置12のソレノイド28は通常消磁状態にあり、図６に実線及び一点鎖線で示すように、昇降板41が可動鉄心39のコイルバネ40によって下方に付勢されているので、各揺動アーム36のピン43が回転軸25回りに矢印イの方向に付勢されている。このため、各揺動片26は図４に実線で示すように、回転軸25回りに矢印ロの方向に付勢され、下端の各突起52が周壁48側のストッパー51に当接して各揺動片26が起立した閉状態となっている。
【００２１】
そして、遊技盤5 の盤面上に発射された遊技球が入賞口8 に入球すると、下部入賞装置12のソレノイド28が励磁する。ソレノイド28が励磁すると、可動鉄心39がコイルバネ40に抗して上方に移動するため、図６に二点鎖線で示すように、可動鉄心39と一体に昇降板41が上昇して、各揺動アーム36のピン43が長孔42内を摺動しつつ回転軸25回りに矢印イの反対方向に回転する。このため、各揺動片26は回転軸25回りに矢印ロの反対方向に回転して、図４に二点鎖線で示すように、下端の突起52が上壁47側のストッパー50に当接し、各揺動片26が開状態となる。
【００２２】
そこで、上方から落下する遊技球が庇部44に当接した後に、又は直接揺動片26に受け止められると、各揺動片26の傾斜に沿って遊技球が球受部27に案内される。球受部27に案内された遊技球は、球受部27を移動した後入球口23側に案内され何れかの入球口23に入球する。
【００２３】
このとき、球受部27を移動する遊技球は、ステージ部材54によりその移動方向が変えられる。即ち、遊技球が一段高い位置に設けられた案内溝56に入ると、その遊技球は中央の特定の入球口23に案内され、また、遊技球が案内溝56を通り過ぎるか又は手前で失速すると、その遊技球は両側の入球口23の何れかに案内される。
【００２４】
中央の特定の入球口23に遊技球が入球するとその入球数が表示窓58に表示され、予め設定された入球数に達すると、変動図柄表示装置11が作動し停止図柄が例えば７・７・７になれば、右入賞装置14の開閉ゲート16が所定時間開放する。
【００２５】
予め設定された時間が経過すると、下部入賞装置12のソレノイド28が消磁し、可動鉄心39がコイルバネ40によって下方に押し戻されるため、昇降板41が下方へ移動し、揺動アーム36のピン43が長孔42内を摺動しつつ回転軸25回りに図６の矢印イの方向に回転する。このため、各揺動片26が図４の矢印ロの方向に回転して下端の突起52が周壁48のストッパー51に当接し、各揺動片26が起立した閉状態となる。
【００２６】
なお、各揺動片26が閉状態となる際に、遊技球がまだ球受部27の上部にあってもその遊技球は球受部27で支持されているので、その遊技球は入球口23側に案内され各入球口23の何れかに確実に入球し遊技者に不利益を与えることもない。また上記構成の下部入賞装置12によれば、ステージ部材54を球受部27に着脱自在に設けているので、上記形状のステージ部材54に代えて、図９に示す形状の異なるステージ部材54を装着することができる。
【００２７】
このステージ部材54は上面が上方に突出する円弧状で全体的に後側が低くなるように傾斜しており、中央の入球口23に遊技球が入り難いようになっている。なお、ステージ部材54の両側には左右に突出する装着片57が設けられ、開口部49の挿入溝53に係合するようになっている。
【００２８】
従って、形状の異なるステージ部材54を開口部49に装着することによって、各入球口23の入球確率を容易に変えることができ、盤面上におけるゲージ構成の設計の自由度が著しく向上する。
【００２９】
なお、本発明は上記実施例に限定されるものではない。例えば、取付板24の入球口23は２か所又は４か所以上設けてもよく、また、開口部49及びステージ部材54の幅を広げて複数の入球口23に対応できるようにしてもよい。更にステージ部材54上面の形状は凹凸のない平面的なものであってもよい。勿論、本発明は、パチンコ機以外の各種の弾球遊技機においても同様に実施可能である。
【００３０】
上記実施例には、遊技盤5 に装着され且つ左右方向に複数の入球口23を備えた取付板24と、複数の入球口23の両側で前後方向の回転軸25回りに揺動する左右一対の揺動片26とを備え、この一対の揺動片26が開状態のときに、上方から落下する遊技球を受け止めて各入球口23側に案内するようにした弾球遊技機の入賞装置において、一対の揺動片26の間で且つ入球口23の前方に、揺動片26からの遊技球を各入球口23側に案内する球受部27を設け、この球受部27に上部及び後方が開口する開口部49を設け、この開口部49の両側に前後方向の挿入溝53を形成し、開口部49を閉塞し且つ球受部27での遊技球の移動方向に変化を付与するステージ部材54の両側に、各挿入溝53に着脱自在に係合する一対の装着片57を設けた入賞装置が含まれている。
【００３１】
本発明は、遊技盤5 に装着され且つ中央の特定の入球口23と該特定の入球口23の左右両側に配置された左右一対の入球口23とを備えた取付板24と、３個の入球口23よりも外側で前後方向の回転軸25回りに揺動して開閉する左右一対の揺動片26と、該両揺動片26の間で３個の入球口23の前側に設けられ且つ揺動片26からの遊技球を入球口23側に案内する球受部27とを備えた弾球遊技機の入賞装置において、球受部27は、左右の各入球口23の前側に配置され且つ特定の入球口23の前側の開口部49の左右両側に設けられた左右一対の上壁47と、該一対の上壁47間で開口部49を閉塞し且つ球受部27での遊技球の移動方向に変化を与えるステージ部材54とを備え、開口部49は後側が広がるテーパー状であり、該開口部49に嵌合するステージ部材54の左右両端が両上壁47の内端側に後方から着脱自在に挿入されているので、揺動片26の開閉状態に拘らず遊技球を入球口23側に確実に案内できる。
【図面の簡単な説明】
【図１】本発明の実施例を示すパチンコ機の正面図である。
【図２】本発明の実施例を示す入賞装置の斜視図である。
【図３】本発明の実施例を示す入賞装置の縦断面図である。
【図４】本発明の実施例を示す図３のＡ−Ａ線断面図である。
【図５】本発明の実施例を示す図３のＢ−Ｂ線断面図である。
【図６】本発明の実施例を示す入賞装置の背面図である。
【図７】本発明の実施例を示す球受ケースの背面図である。
【図８】本発明の実施例を示すステージ部材の平面図（Ａ）及び正面図（Ｂ）である。
【図９】本発明の実施例を示す他のステージ部材の平面図（Ａ）及び正面図（Ｂ）である。
【符号の説明】
5  遊技球
23  入球口
24  取付板
25  回転軸
26  揺動片
27  球受部
49  開口部
53  挿入溝
54  ステージ部材
57  装着片
58  表示窓
60  カバー
60a セグメント表示素子
【図１】
0003888953.tif 000002
【図２】
0003888953.tif 000003
【図３】
0003888953.tif 000004
【図４】
0003888953.tif 000005
【図５】
0003888953.tif 000006
【図６】
0003888953.tif 000007
【図７】
0003888953.tif 000008
【図８】
0003888953.tif 000009
【図９】
0003888953.tif 000010